(57)【要約】【課題】  耐震安全性が高く内部空間を効率よく使用でき、且つ施工時のコストを低減できる架構構造を提供する。【解決方法】  柱および梁を有する制震架構構造であって、該制震架構構造の外部に位置する外柱と外梁間にブレースを設置してブレース構面を形成し、該制震架構構造の内部の内柱の基礎を独立フーチングとし、該ブレースをダンパーとして用いることによって地震力を該ブレース構面で緩和し、鉛直荷重を内柱および独立したフーチングで負担させることによって施工のコストを低減すると共に、該制震架構構造の内部空間を効率よく使用できる構造を構成する。【選択図】  図１
2007262753.tif 000002
【特許請求の範囲】
【請求項１】
柱および梁を有する架構構造であって、該架構構造の外周部に位置する外柱と外梁とを相互に連結するようにブレースを設置してブレース構面を形成し、該架構構造の外部に位置する外柱の基礎を連続基礎とし内部に位置する内柱の基礎を独立した基礎とする架構構造。
【請求項２】
前記ブレース構面は前記構造物の少なくとも１階部分に設置される請求項１に記載の架構構造。
【請求項３】
前記架構構造は該ブレース構面の基礎を梁で接続し、該架構構造の内部の基礎は独立した基礎とする請求項１または２に記載の架構構造。
【請求項４】
前記ブレースは地震時に降伏を許容するように設計された芯材を有する請求項１ないし３のいずれかに記載の架構構造
【発明の詳細な説明】
【技術分野】
【０００１】
本発明は地震時の揺れを緩和するブレース構面を有する架構構造に関する。
【背景技術】
【０００２】
従来の耐震架構構造は地震抵抗材としてブレースを該構造に適宜配置して構造物全体の剛性を高める構造が多く用いられている。通常、ブレースは柱、梁間に設置されるために、例えば大型のショッピングセンターのように面積の広い建物に用いた場合、内部の空間を遮る壁となる。
【０００３】
また内部の空間を確保して耐震性能を確保するには柱に角形鋼管を用いるか、Ｈ型鋼を隣り合う柱の強軸を９０度回転させて全体の剛性バランスを取る構造が用いられる。さらに、基礎同士を接続する梁を少なくして施工コストを低減する構造が例えば特許文献３に開示されているが、耐震性能に関しては記載されていない。
【特許文献１】特開２００５−３５０８６０
【特許文献２】特開２００３−２３９３８０
【特許文献３】特開平１１−２４１３９８
【発明の開示】
【発明が解決しようとする課題】
【０００４】
しかしながら上記の技術は架構構造の内部の空間にもブレースを設置するため内部空間が壁で区画され、空間を効率的に利用できない問題を有していた。また内部空間を確保する場合でも角形鋼管、Ｈ型鋼を使用する構造は施工コストがかかる問題を有していた。
【課題を解決するための手段】
【０００５】
（１）柱および梁を有する架構構造であって、該架構構造の外部に位置する外柱と外梁とを相互に連結するようにブレースを設置してブレース構面を形成し、該架構構造の外部に位置する外柱の基礎を連続基礎とし内部の内柱の基礎を独立した基礎とし、該ブレースをダンパーとして機能させる構造を構成する。
（２）前記ブレース構面は前記構造物の少なくとも１階部分に設置されるように構成する。
（３）前記架構構造は該ブレース構面の基礎を梁で接続し、該架構構造の内部の基礎は独立した基礎とする
（４）前記ブレースの心材は地震時に降伏を許容するように構成する。
【発明の効果】
【０００６】
（１）本発明は柱および梁を有する架構構造であって、該架構構造の外部に位置する外柱と外梁とを相互に連結するようにブレースを設置してブレース構面を形成し、該架構構造の外部に位置する外柱の基礎を連続基礎とし内部の内柱の基礎を独立な基礎とする。このような架構構造において該ブレースをダンパーとして機能させることによって地震力を該ブレース構面で緩和し、鉛直荷重を内柱および独立した基礎で負担させるので、該架構構造の内部空間を効率よく使用できる。特にショッピングセンターなどの広い空間を使用する建物に対して、制震性能を犠牲にすることなく建物内部に不要な壁を作らずに広い空間を使用することができる。
（２）前記ブレース構面は前記構造物の少なくとも１階部分に設置されるように構成することが好ましい。このように構成することによって地震時に地震力（地震荷重）が最も大きくなる建物の１階部分の揺れを効果的に緩和することができる。
（３）前記架構構造は該ブレース構面の基礎を梁で接続し、該架構構造の内部の基礎は独立した基礎とすることによって基礎構造のコストを低減することができる。
（４）前記ブレースは地震時に降伏を許容するように設計された芯材を有することによってダンパー機能を発揮させる。
また、前記ブレースは座屈拘束ブレースとして構成することが好ましい。このように構成することによって地震時の揺れを該ブレースによって緩和することができる。
【発明を実施するための最良の形態】
【０００７】
本発明の好ましい実施の形態について実施例を挙げ、図面を参照して説明する。
【実施例１】
【０００８】
図１は本発明の架構構造１０において、１階部分にブレース１３を設置した時の該架構構造１０を外側から見た軸組図である。図１に示されているように、架構構造１０は外側周囲に位置する外柱１１と外梁１２によって構成されており、１階部分には外柱１１と外梁１２の間にブレース１３が設置されブレース構面１４が形成されている。
【０００９】
図１では該架構構造１０の１階部分外側に３つのブレース構面１４が形成されている。このブレース構面１４は少なくとも架構構造１０の１階部分外側に形成される。図１には示されていないが外柱１１の基礎は梁（以下基礎梁と称する）で接続されており、該架構構造１０の内部に位置する内柱の基礎は基礎梁と接続することなく独立して設置することができる。ブレース構面１４は地震時に地震力の大きな１階部分に設置することが好ましい。また２階以上の部分にブレース構面１４を設置しても本発明の効果を得ることができる。
【００１０】
図２は本発明の架構構造１０の基礎を上から見たときの基礎の配置を示す平面図である。外柱１１の基礎２１は基礎梁２２で接続して連続基礎を構成しており、該架構構造１０を１周するように形成されている。また内柱の基礎２３は基礎梁で接続されずに独立して設置されている。該連続基礎は例えば布基礎、部分的なマット、耐圧盤等を用いることができる。本発明の架構構造１０は外側にブレースを有するブレース構面１４を形成するので、該ブレース構面１４が設置される基礎は基礎梁２２で接続する。図では基礎梁２２上にブレース構面１４が設置されることとなる。
【００１１】
ここで当業者には既知であるが、ブレース構面１４は例えば建物の出入り口等には設置できないので、建物の外周を完全に取り囲む構造でなくてもよい。またそのような構造であっても本発明の効果を十分発揮する架構構造１０を形成することができる。さらに階段、エスカレータ、エレベータ等の周囲の壁、または共用スペースと他の空間、例えば倉庫、事務室等とを区画する領域にブレース構面１４を用いることもできる。
【００１２】
本発明の架構構造１０においては建物の鉛直荷重は内柱の基礎２３で負担する。また建物内部にはブレースを使用しないため建物の内部空間が壁で区切られることはない。よって建物の内部空間を効率よく使用することができる。また図２では内柱の基礎２３が格子状に配列しているが、内部の仕様にあわせて自由に基礎２３を設置することができる。また内部の空間を壁で区画するような場合は内部空間にもブレース構面１４を設置することで本発明の効果を得られることは当業者であれば理解できる。
【００１３】
図３の（ａ）、（ｂ）はそれぞれ図２のＡ−Ａ線、Ｂ−Ｂ線で切断したときの縦断面図である。図３（ａ）から明らかなように、内柱の基礎２３は互いに独立しており、外柱の基礎２１とも接続されていない。また図では内柱の基礎２３、外柱の基礎２４は杭２４によって支持されている。杭２４を使用することによって強固に基礎を安定させることができ、特に大きな建物を建設する場合は有利である。また図示しないが内柱は建物の鉛直荷重を内柱の基礎２３と共に支持する。
【００１４】
次に図３（ｂ）は外柱の基礎２４が基礎梁２２で接続されており、杭２４に支持されている。このように本発明の架構構造１０はブレース１３を建物の外側に配置し、内部には配置しないため基礎梁２２は架構構造１０の外周の基礎に設置すれば良く、該架構構造１０の内部の基礎２３は基礎梁２２に接続されない独立した基礎とすることができる。つまり内部の基礎２３は梁で接続されないため、基礎構造のローコスト化が可能であり、さらに掘削土を減少させたり工期を短縮させたりする等の点でもコスト削減に貢献する。
【００１５】
本発明のブレースは座屈拘束ブレースをダンパーとして使用することができる。つまりブレースは地震力によって降伏するように設計された芯材を備えた履歴降伏型のダンパーとして用いることができる。
【図面の簡単な説明】
【００１６】
【図１】（ａ）は本発明の免震床構造の縦断面図、（ｂ）は（ａ）のＡ−Ａ線における切断面を上から見た横断面図である。
【図２】本発明の制震架構構造の基礎の配置の一例を示した図である。
【図３】（ａ）は図２のＡ−Ａ線で切断したときの縦断面図であり、（ｂ）は図２のＢ−Ｂ線で切断したときの縦断面図である。
【符号の説明】
【００１７】
１０    制震架構構造
１１    外柱
１２    外梁
１３    ブレース
１４    ブレース構面
２１    外柱の基礎
２２    基礎梁
２３    内柱の基礎
２４    杭
【図１】
2007262753.tif 000003
【図２】
2007262753.tif 000004
【図３】
2007262753.tif 000005